(57)【要約】【課題】余分な部材を用いることなく、ごく簡単な動作で補助具を容器に保持させることができる、使い勝手のよい補助具付き広口容器を提供する。【解決手段】広口容器の、容器本体１もしくは蓋体２の少なくとも一部に磁石と引き合う強磁性が付与されているとともに、スパチュラ５に永久磁石１０が埋め込まれて永久磁石特性が付与されており、容器本体１もしくは蓋体２の強磁性部分にスパチュラ５を当接させることにより、スパチュラ５が、容器本体１もしくは蓋体２に着脱自在に保持されるようになっている。【選択図】図１
2016016879.tif 000002
【特許請求の範囲】
【請求項１】
内容物を収容する有底筒状の容器本体と、その上面開口を蓋する蓋体と、容器本体内に収容された内容物を取り扱うための補助具を備えた広口容器であって、容器本体もしくは蓋体の少なくとも一部に磁石と引き合う強磁性が付与されているとともに、補助具の少なくとも一部に永久磁石特性が付与されており、容器本体もしくは蓋体の強磁性部分に補助具の永久磁石特性部分を当接させることにより、補助具が、容器本体もしくは蓋体に着脱自在に保持されるようになっていることを特徴とする補助具付き広口容器。
【請求項２】
内容物を収容する有底筒状の容器本体と、その上面開口を蓋する蓋体と、容器本体内に収容された内容物を取り扱うための補助具を備えた広口容器であって、容器本体もしくは蓋体の少なくとも一部に永久磁石特性が付与されているとともに、補助具の少なくとも一部に磁石と引き合う強磁性が付与されており、容器本体もしくは蓋体の永久磁石特性部分に、補助具の強磁性部分を当接させることにより、補助具が、容器本体もしくは蓋体に着脱自在に保持されるようになっていることを特徴とする補助具付き広口容器。
【請求項３】
広口容器が化粧料を収容するジャー容器であり、補助具が化粧料塗布具もしくはスパチュラである請求項１または２記載の補助具付き広口容器。
【請求項４】
強磁性もしくは永久磁石特性を付与する部材が樹脂成形体からなり、樹脂成形体に強磁性粉末もしくは永久磁石粉末を分散含有させることにより強磁性もしくは永久磁石特性が付与されている請求項１〜３のいずれか一項に記載の補助具付き広口容器。
【請求項５】
強磁性もしくは永久磁石特性を付与する部材に対し、強磁性体もしくは永久磁石を貼付するか埋設することにより強磁性もしくは永久磁石特性が付与されている請求項１〜３のいずれか一項に記載の補助具付き広口容器。
【請求項６】
補助具または容器本体もしくは蓋体に付与される永久磁石特性が、磁力５００〜５０００ガウスに設定されている請求項１〜５のいずれか一項に記載の補助具付き広口容器。
【発明の詳細な説明】
【技術分野】
【０００１】
本発明は、容器本体内の内容物を取り扱うための補助具が組み合わせられた、補助具付き広口容器に関するものである。
【背景技術】
【０００２】
保湿クリームやマッサージクリームといった比較的粘度の高い化粧料は、一般に、図９（ａ）に示すような、広口の容器本体１００と蓋体１０１とからなる広口容器（いわゆる「ジャー容器」）に充填されて、これを取り出すための補助具（スパチュラ等）１０２とともに包装箱に収容された状態で販売されている。
【０００３】
ところが、補助具１０２は、これを載置するための専用部材がないため、顧客がこれを購入した後は、広口容器は箱等から取り出され、補助具１０２は、広口容器近傍の、適当な場所に置かれることが多い。そして、使用後の補助具１０２には化粧料が付着しているため、これをきれいに拭わないと、補助具１０２を置いた場所が化粧料で汚れたり、補助具１０２が不衛生になったりするおそれがある。また、補助具１０２を適当な場所に置くことで紛失しやすいという問題もある。
【０００４】
そこで、例えば図９（ｂ）に示すように、包装箱（この例では透明箱）１０３の内側に、広口容器１０４と補助具１０２を一まとまりで保持するための凹部１０５、１０６を備えた台座１０７を設け、広口容器１０４等を包装箱１０３から取り出した後も、この台座１０７に広口容器１０４と補助具１０２を保持した状態のまま使用できるようにしたものが提案されている〔台座１０７の平面図である図９（ｃ）を参照〕。
【０００５】
また、例えば図１０に示すように、広口容器１０４の容器本体１００に、補助具１０２を挿通係止する透孔１０８が形成された環状体１０９を取り付けて、補助具１０２を常に広口容器１０４と一体的に保管できるようにしたものも提案されている（特許文献１、２を参照）。
【先行技術文献】
【特許文献】
【０００６】
【特許文献１】特開２００４−２０１９７０号公報
【特許文献２】特開２００４−３３１１０５号公報
【発明の概要】
【発明が解決しようとする課題】
【０００７】
しかしながら、図９（ｂ）、（ｃ）に示すような台座１０７を用いると、その分嵩張って、余分なスペースが必要となる上、補助具１０２を立てるための凹部１０６の開口形状が、補助具１０２がぐらつかないよう比較的余裕のない設定になっているため、これをスムーズに差し込む動作が難しく、とりわけこの容器の使用者が年配層であると、差し込みに手間がかかって煩わしいという問題がある。
【０００８】
また、図１０に示す環状体１０９を用いる場合も、上記の場合と同様、その透孔１０８に補助具１０２を差し込む動作が煩わしいという問題がある。しかも、せっかく広口容器１０４全体に統一感あるデザインが付与されていても、その容器本体１００に環状体１０９が取り付けられるため、全体の統一感が損なわれて見栄えが悪くなるという問題もある。
【０００９】
本発明は、このような事情に鑑みなされたもので、余分な部材を用いることなく、ごく簡単な動作で補助具を容器に保持させることができる、使い勝手のよい補助具付き広口容器の提供をその目的とする。
【課題を解決するための手段】
【００１０】
上記の目的を達成するため、本発明は、内容物を収容する有底筒状の容器本体と、その上面開口を蓋する蓋体と、容器本体内に収容された内容物を取り扱うための補助具を備えた広口容器であって、容器本体もしくは蓋体の少なくとも一部に磁石と引き合う強磁性が付与されているとともに、補助具の少なくとも一部に永久磁石特性が付与されており、容器本体もしくは蓋体の強磁性部分に補助具の永久磁石特性部分を当接させることにより、補助具が、容器本体もしくは蓋体に着脱自在に保持されるようになっている補助具付き広口容器を第１の要旨とする。
【００１１】
また、本発明は、内容物を収容する有底筒状の容器本体と、その上面開口を蓋する蓋体と、容器本体内に収容された内容物を取り扱うための補助具を備えた広口容器であって、容器本体もしくは蓋体の少なくとも一部に永久磁石特性が付与されているとともに、補助具の少なくとも一部に磁石と引き合う強磁性が付与されており、容器本体もしくは蓋体の永久磁石特性部分に、補助具の強磁性部分を当接させることにより、補助具が、容器本体もしくは蓋体に着脱自在に保持されるようになっている補助具付き広口容器を第２の要旨とする。
【００１２】
さらに、本発明は、それらのなかでも、特に、広口容器が化粧料を収容するジャー容器であり、上記補助具が化粧料塗布具もしくはスパチュラである補助具付き広口容器を第３の要旨とする。
【００１３】
そして、本発明は、それらのなかでも、特に、強磁性もしくは永久磁石特性を付与する部材が樹脂成形体からなり、樹脂成形体に強磁性粉末もしくは永久磁石粉末を分散含有させることにより強磁性もしくは永久磁石特性が付与されている補助具付き広口容器を第４の要旨とし、強磁性もしくは永久磁石特性を付与する部材に対し、強磁性体もしくは永久磁石を貼付するか埋設することにより強磁性もしくは永久磁石特性が付与されている補助具付き広口容器を第５の要旨とする。
【００１４】
また、本発明は、それらのなかでも、特に、補助具または容器本体もしくは蓋体に付与される永久磁石特性が、磁力５００〜５０００ガウスに設定されている補助具付き広口容器を第６の要旨とする。
【発明の効果】
【００１５】
すなわち、本発明の補助具付き広口容器は、容器と付属品である補助具とを、互いに磁力で引き合わせることによって、補助具を容器本体か蓋体に着脱自在に保持できるようにしたものである。この構成によれば、補助具を保持するために余分な部材を設ける必要がないため、容器周りが嵩張ることがない。また、容器の外観が余分な部材によって損なわれることがなく、視覚的に好ましいだけでなく、補助具を容器に保持させる際、特定の凹部に補助具を嵌め込む等の煩わしい動作が不要である。したがって、だれでも簡単に取り扱うことができ、長期にわたって、補助具を紛失することがない。また、内容物が付着した補助具を落として周囲を汚すようなこともない。
【００１６】
なお、本発明のなかでも、特に、広口容器が化粧料を収容するジャー容器であり、補助具が化粧料塗布具もしくはスパチュラであるものは、毎日の化粧において、補助具を使用する際の取り扱いが簡単であり、その実用的効果が大きい。
【００１７】
また、そのなかでも、特に、強磁性もしくは永久磁石特性を付与する部材が樹脂成形体からなり、樹脂成形体に強磁性粉末もしくは永久磁石粉末を分散含有させることにより強磁性もしくは永久磁石特性が付与されているものは、強磁性等が付与された部材の表面形状が平滑で、美麗な外観が得られるという利点を有する。
【００１８】
さらに、それらのなかでも、特に、強磁性もしくは永久磁石特性を付与する部材に対し、所定の配置で強磁性体もしくは永久磁石を貼付するか埋設することにより強磁性もしくは永久磁石特性が付与されているものは、上記のように強磁性粉末等を用いる場合に比べて安価に提供できるという利点を有する。また、あえて強磁性体もしくは永久磁石を外から見えるように配置したものは、この補助具が磁石によって容器に保持されるものであることが一目でわかり、取り扱いやすいという利点を有する。
【００１９】
そして、それらのなかでも、特に、補助具または容器本体もしくは蓋体に付与される永久磁石特性が、磁力５００〜５０００ガウスに設定されているものは、繰り返し人に接してもその磁力が人体に何ら影響を与えるおそれがなく、しかも補助具を充分に容器側に保持することのできる範囲になっており、好適である。
【図面の簡単な説明】
【００２０】
【図１】本発明の一実施の形態である補助具付き広口容器の外観斜視図である。
【図２】図１のＡ−Ａ′断面図である。
【図３】上記実施の形態に用いられるスパチュラの平面図である。
【図４】（ａ）はスパチュラの変形例を示す平面図、（ｂ）はその側面図である。
【図５】スパチュラの他の変形例を示す平面図である。
【図６】本発明の他の実施の形態における広口容器を示す縦断面図である。
【図７】（ａ）は本発明のさらに他の実施の形態を示す縦断面図、（ｂ）はその実施の形態に用いられる永久磁石の変形例を示す斜視図である。
【図８】（ａ）は上記一連の実施の形態におけるスパチュラの販売時の形態を示す平面図、（ｂ）はそのＢ−Ｂ′断面図である。
【図９】（ａ）は一般的な広口容器と補助具の説明図、（ｂ）は従来の補助具付き広口容器の一例を示す正面図、（ｃ）はそれに用いる台座の平面図である。
【図１０】従来の補助具付き広口容器の他の例を示す説明図である。
【発明を実施するための形態】
【００２１】
つぎに、本発明の実施の形態を図面にもとづいて詳しく説明する。ただし、本発明は、この実施の形態に限定されるものではない。
【００２２】
図１は、本発明の補助具付き広口容器の一実施の形態を示している。この広口容器は、クリーム状の化粧料を収容する容器で、そのＡ−Ａ′断面図である図２に示すように、容器本体１と蓋体２からなる外容器３の内側に、化粧料を収容するレフィル容器４が、交換可能な状態で保持されている。そして、上記外容器３の側面には、中身である化粧料をすくって取り出すためのスパチュラ５が、磁力によって外容器３側に直接引き付けられて保持されている。
【００２３】
上記外容器３の容器本体１は、有底筒状の本体ベース１ａと、肩リング１ｂの、上下二つのパーツで構成されており、両者は、レフィル容器４の外周面に設けられたガイドフランジ６を挟み込んだ状態で、ねじ係合によって一体化されるようになっている。
【００２４】
そして、本体ベース１ａは、赤色に着色された樹脂成形品によって形成されている。また、肩リング１ｂは、白色樹脂に、強磁性体である鉄粉が分散含有された灰色の樹脂成形品からなり、その上面と周側面に、アルミニウム蒸着によって金属光沢層７が形成されている。したがって、肩リング１ｂは、上記鉄粉の存在によって、どの部分においても、磁石に対し引き付けられる強磁性特性が付与されている。
【００２５】
また、外容器３の蓋体２は、本体ベース１ａと同様、赤色に着色された樹脂成形品によって形成されており、その内側面に、円板状のパッキング２ａが取り付けられている。なお、図２において、８は、レフィル容器４の上面開口を蓋する中蓋である。
【００２６】
一方、この容器の付属品であるスパチュラ５は、透明な樹脂成形品によって形成されており、根元側が比較的厚肉の柄部５ａになっており、先端側が比較的薄肉のへら部５ｂになっている。そして、この柄部５ａには、３個の小さな粒状の永久磁石（直径２ｍｍ、厚み１ｍｍのボタン型ネオジム磁石）１０が埋め込まれている。これをより詳しく説明すると、スパチュラ５の柄部５ａには、永久磁石１０を埋め込む３個所の部分に、予め凹部が形成されており、この凹部内に永久磁石１０を嵌め込んだ後、凹部内に二液硬化型接着剤を注入して硬化させることにより、永久磁石１０を柄部５ａ内に埋め込んだ状態で固定したものである。二液硬化型接着剤は透明で、スパチュラ５の「地」である透明な樹脂成形品と一体化するため、あたかも、透明な一体成形品の内側に、永久磁石１０が当初から埋め込まれていたかのように見える。
【００２７】
上記の構成によれば、外容器３の容器本体１のうち、肩リング１ｂの周面のいずれかの部分に、スパチュラ５の、永久磁石１０が埋め込まれた部分を近づけるか、軽く触れるだけで、両者の間に働く磁力によって、スパチュラ５が肩リング１ｂに引き寄せられ、安定した力で保持される。また、スパチュラ５を使用するときは、これを簡単に外すことができる。
【００２８】
したがって、スパチュラ５を外容器３に保持させる際、従来のように、特定の凹部に嵌め込む等の煩わしい動作が不要で、年配者にとっても取り扱いやすいものとなる。そして、誤ってスパチュラ５を落としたりすることもないため、周囲が汚れたり、スパチュラ５を紛失することがない。しかも、スパチュラ５を保持するための余分な部材が不要であるため、容器周りが嵩張らず、また、容器の外観も、余分な部材によって損なわれることがなく、すっきりした印象を与えることができる。
【００２９】
なお、上記の例では、スパチュラ５に、３個の永久磁石１０を埋め込んだが、このように、複数の小さな永久磁石１０を配置する場合は、これらを互いに等間隔で配置することが好ましく、その間隔Ｐ（図３を参照）は、永久磁石１０の大きさと、これと引き合う強磁性体の領域幅、すなわち、この例では、肩リング１ｂの幅Ｗ（図２を参照）を考慮して決定される。
【００３０】
スパチュラ５における永久磁石１０の間隔Ｐを調整することによって、永久磁石１０が埋め込まれた領域のどの部分を肩リング１ｂに当てても、スパチュラ５が肩リング１ｂで保持され、落下することがないようにすることができるからである。ちなみに、この例では、肩リング１ｂの幅Ｗは８ｍｍであり、永久磁石１０の直径は２ｍｍ、間隔Ｐは８ｍｍに設定されている。ただし、永久磁石１０の磁力によっては、その間隔Ｐをより狭くして２つの永久磁石１０が同時に接するようにしたり、永久磁石１０と強磁性領域とが直接重ならなくても磁力が作用してスパチュラ５が落下しない範囲であれば、その間隔Ｐをもっと広げたりすることができる。
【００３１】
また、永久磁石１０は、上記の例のように、複数の小さな永久磁石１０を分配する以外に、例えば図４（ａ）、（ｂ）に示すように、スパチュラ５の柄部５ａの長手方向に沿って延びる１本の細長い永久磁石１０′を用いるようにしてもよい。この場合も、上記の例と同様にして、永久磁石１０′を、スパチュラ５に埋め込むことが望ましい。
【００３２】
もちろん、複数の永久磁石１０や単一の永久磁石１０′をスパチュラ５に設ける際、それらは、必ずしも埋め込む必要はなく、スパチュラ５の表面にそれらを貼付するだけであってもよいが、耐久性や表面の平滑性を考慮すれば、上記のように、それらをスパチュラ５の表面より内側に埋め込むことが好適である。
【００３３】
さらに、スパチュラ５を成形するための樹脂材料に、永久磁石の粉末を分散含有させて成形するようにしてもよい。このものは、図５に示すように、スパチュラ５の全体が磁石特性を示すため、スパチュラ５のどの部分を肩リング１ｂに当てても、保持できるという利点を有する。なお、永久磁石粉末を練り込んで樹脂成形を行うと、磁石に影響されない金型が必要となるため、設備コストが高くなるという問題がある。そこで、樹脂成形品全体に磁石特性を付与するには、フェライト等の着磁可能な材料粉末を樹脂材料に配合して成形後、その成形品全体を着磁装置にかけて磁石特性を付与することが望ましい。
【００３４】
また、上記の例では、肩リング１ｂに強磁性を付与するために、肩リング１ｂ全体に、鉄粉を分散含有させているが、鉄に限らず、強磁性を有する材料として、ニッケル、コバルト、ネオジム、フェライト、マルテンサイト系ステンレス、フェライト系ステンレス等を用いることができる。ただし、樹脂材料とのなじみ性や均一分散性の点から、鉄、フェライト、ネオジムを用いることが好適である。
【００３５】
あるいは、肩リング１ｂの全体に強磁性特性を付与するのではなく、例えば、肩リング１ｂのアルミニウム蒸着による金属光沢層７を、図６に示すように、強磁性を有するステンレス等の強磁性層１１に置き換えることにより、より簡単に強磁性の肩リング１ｂを得ることができる。また、必ずしもこの部分を蒸着によって形成する必要はなく、転写シートを用いて肩リング１ｂの外周面に、目的とする強磁性層を転写してもよいし、強磁性体からなるリング体を作製し、これをそのまま、あるいはその表面にアルミ蒸着やコーティングを施して美観を高めた上、肩リング１ｂとして用いることもできる。
【００３６】
さらに、スパチュラ５を保持するために強磁性特性を付与する部位は、上記の例のように、肩リング１ｂである必要はなく、蓋体２や本体ベース１ａであってもよい。例えば、蓋体２に強磁性を付与した例を図７（ａ）に示す。この例では、蓋体２の内側面とパッキング２ａとの間に、鉄やステンレスからなる円板状の強磁性体１２を挟み込むことにより、蓋体２の上面において、スパチュラ５を引き付けて保持できるようにしている。なお、上記強磁性体１２は、図７（ｂ）に示すように、中心部に穴のあいた、ドーナツ状であっても差し支えない。
【００３７】
また、肩リング１ｂに強磁性を付与する場合と同様、蓋体２や本体ベース１ａの表面に、強磁性層を蒸着したり、強磁性層を転写したり貼付もしくはコーティングしたりして、強磁性を付与することができる。あるいは、蓋体２や本体ベース１ａ自体を、鉄粉等の強磁性粉末を練り込んで成形することによって、強磁性の樹脂成形品にすることもできる。
【００３８】
なお、上記一連の例において、この広口容器（外容器３＋レフィル容器４）をスパチュラ５とともに包装して販売する際、例えば図８（ａ）およびそのＢ−Ｂ′断面図である図８（ｂ）に示すように、外容器３を収容する台座２０を設け、この台座２０の外容器保持用の凹部２１と重ねて、この凹部２１の底面２１ａよりさらに深い、スパチュラ保持用の細長い凹部２２を設けることにより、スパチュラ５をコンパクトに収納することができる。なお、スパチュラ５を取り出しやすくするために、外容器保持用の凹部２１の底面２１ａに、スパチュラ保持用の凹部２２と重なる配置で、その底面２１ａから凹部２２の底面に向かってテーパ状に深くなる、平面視円形の段差部２３が設けられている。
【００３９】
また、上記一連の例では、外容器３の容器本体１や蓋体２に強磁性を付与し、スパチュラ５に永久磁石特性を付与したが、逆に、外容器３の容器本体１や蓋体２に永久磁石特性を付与し、スパチュラ５に強磁性を付与するようにしても差し支えない。そして、その場合も、強磁性の付与方法や永久磁石特性の付与方法は、前述の場合と同様である。
【００４０】
そして、いずれの場合も、永久磁石特性を付与する場合、その部材表面において発現する磁力の強さは、５００〜５０００ガウスであることが好適である。すなわち、上記の範囲よりも磁力が弱いと、スパチュラ５を容器本体１や蓋体２から外れないように固定保持することが困難になるおそれがあり、逆に、上記の範囲よりも磁力が強いと、磁力の影響によって製品製造上の問題が発生するおそれがあるからである。
【００４１】
なお、本発明において、容器本体１や蓋体２を形成するための樹脂材料としては、容器部材の成形に用いられるどのような樹脂材料であってもよく、例えば、ポリエチレンテレフタレート（ＰＥＴ）、ポリエチレンイソフタレート、ポリブチレンテレフタレート、ポリエチレンナフタレート、ポリカーボネート、ポリアリレート、ポリ乳酸またはこれらの共重合体等の熱可塑性ポリエステル、ポリエチレン（ＰＥ）、ポリプロピレン（ＰＰ）、アクリロニトリル、プロピレン−エチレン共重合体、アクリロニトリル−スチレン共重合体（ＡＳ）、アクリロニトリル−ブタジエン−スチレン共重合体（ＡＢＳ）、ポリメタクリル酸メチル等があげられる。これらは単独で用いても２種以上をブレンドしたものであってもよい。
【００４２】
そして、容器本体１や蓋体２に、強磁性粉末や永久磁石の粉末（成形後に着磁するものを含む）を含有させる場合、樹脂材料に対する強磁性粉末等の含有割合は、その粉末の強磁性もしくは永久磁石特性の強弱にもよるが、通常、樹脂材料１００質量部に対して、強磁性粉末等を、１０〜６０質量部に設定することが好適である。すなわち、上記の範囲よりも強磁性粉末が多すぎると、成形性が悪くなるおそれがあり、逆に、上記の範囲よりも少な過ぎると、目的とする磁性を付与できないおそれがあるからである。
【００４３】
なお、本発明において、広口容器は、上記の例のように、化粧料容器である必要はなく、食品や薬品等、これに収容する内容物の種類は問わない。また、上記の例のように、外容器３とレフィル容器４とを組み合わせたものである必要もない。ただし、内容物を取り出したり、何らかの、手指ではできない取り扱いを施したりするために、補助具を組み合わせて用いるものでなければならない。このような補助具としては、広口容器が化粧料容器である場合には、スパチュラの他、化粧用チップ、化粧筆といった化粧料塗布具があげられる。また、広口容器が食品や薬品を収容するものである場合には、計量用スプーンや小カップ等があげられる。
【産業上の利用可能性】
【００４４】
本発明は、磁力を利用して補助具を直接容器の側面や上面に引き付けて保持する補助具付き広口容器に利用することができる。
【符号の説明】
【００４５】
１  容器本体
１ａ  本体ベース
１ｂ  肩リング
２  蓋体
３  外容器
５  スパチュラ
１０  永久磁石
【図１】
2016016879.tif 000003
【図２】
2016016879.tif 000004
【図３】
2016016879.tif 000005
【図４】
2016016879.tif 000006
【図５】
2016016879.tif 000007
【図６】
2016016879.tif 000008
【図７】
2016016879.tif 000009
【図８】
2016016879.tif 000010
【図９】
2016016879.tif 000011
【図１０】
2016016879.tif 000012